(57)【要約】      （修正有）【課題】柄のない歯ブラシとして口の中に入れて噛むことにより、歯を磨き、口内を清潔にすることができ、使用する場所に限定されることがなく、いつでも手軽に長時間使用することが可能である等、従来の柄付きの歯ブラシとは異なる柄のない噛む歯ブラシを提供する。【解決手段】口の中に入れて噛めるようにした柄のない噛む歯ブラシであって、柔軟性を有する合成樹脂製弾性本体２の外周全体にブラシ３を形成したことを特徴とするものであり、楕円形状、ボール形状、棒形状、さらにはドーナツ形状等の立体形状に適用するほか、指サック形状、オシャブリ形状、さらにはマウスピース形状にも適用することができる。【選択図】図１
0003149503.tif 000002
【実用新案登録請求の範囲】
【請求項１】
口の中に入れて噛めるようにした柄のない噛む歯ブラシであって、柔軟性を有する合成樹脂製弾性本体の外周にブラシを形成したことを特徴とする噛む歯ブラシ。
【請求項２】
前記弾性本体は、楕円形状、ボール形状、棒形状、又はドーナツ形状等の立方体形状であることを特徴とする請求項１記載の噛む歯ブラシ。
【請求項３】
前記弾性本体は指サック形状を有し、この指サック形状の外周にブラシが形成されてなる歯ブラシであって、該歯ブラシを口の中に入れて噛むほかに、指サック形状の内部に手の指を入れて歯を磨くことができるようにしたことを特徴とする請求項１記載の噛む歯ブラシ。
【請求項４】
前記弾性本体はオシャブリ形状を有し、このオシャブリ形状における口の中に入れる部分の外周にブラシが形成されていることを特徴とする請求項１記載の噛む歯ブラシ。
【請求項５】
口の中に入れて噛めるようにした柄のない噛む歯ブラシであって、柔軟性を有する合成樹脂製弾性本体をマウスピース形状とし、該マウスピース形状の内側にブラシを形成したことを特徴とする噛む歯ブラシ。
【考案の詳細な説明】
【技術分野】
【０００１】  本考案は、柄のない歯ブラシであって、口の中に入れて噛むことにより、歯を磨き、口内を清潔にすること等ができるようにした噛む歯ブラシに関する。
【背景技術】
【０００２】  従来から一般的に使用されている歯ブラシは、刷毛部に柄が設けられ、この柄を片手で握った状態にして刷毛部を口の中に入れてブラッシングするため、柄が邪魔になり、歯の裏や奥等が磨きにくいという欠点があった。【０００３】  また、従来の歯ブラシは、通常、洗面所等で使用するものであり、歯磨き粉を使用するため、他のことを行いながら歯を磨くということは不衛生であり、忙しいとき等には歯磨きに十分な時間をかけることができず、歯を磨くのが不十分になりがちであった。【０００４】  このような事情に鑑みて、従来から開発されている柄のない歯ブラシとして、特許文献１に記載されたものを参照する。この考案は、「噛んで磨く歯ブラシ」というものであり、図９に示すように、Ｕ字型または先の開いたＵ字型になった歯ブラシ本体２１の奥に弾性本体２２が設けられ、歯ブラシ本体２１の内側の両側から毛２３を設けたものであり、このような歯ブラシを口の中に入れて噛むことにより、歯ブラシ本体２１の奥の弾性本体２２が歯先を磨き、また内側の毛２３で歯の両側を磨けるようにしたものである。
【特許文献１】特開平８−２４０４７号公報
【考案の開示】
【考案が解決しようとする課題】
【０００５】  本考案は以上のような事情に鑑みてなされたもので、柄のない歯ブラシとして口の中に入れて噛むことにより、歯を磨き、口内を清潔にすることができ、使用する場所に限定されることがなく、いつでも手軽に長時間使用することが可能である等の利点を有する柄のない噛む歯ブラシを提供する。
【課題を解決するための手段】
【０００６】  以上の目的を達成するために、本考案の請求項１の噛む歯ブラシは、口の中に入れて噛めるようにした柄のない噛む歯ブラシであって、柔軟性を有する合成樹脂製弾性本体の外周にブラシを形成したことを特徴とする。【０００７】  また、本考案の請求項２は、請求項１の噛む歯ブラシにおいて、前記弾性本体は、楕円形状、ボール形状、棒形状、又はドーナツ形状等の立方体形状であることを特徴とする。【０００８】  また、本考案の請求項３は、請求項１の噛む歯ブラシにおいて、前記弾性本体は指サック形状を有し、この指サック形状の外周にブラシが形成されてなる歯ブラシであって、該歯ブラシを口の中に入れて噛むほかに、指サック形状の内部に手の指を入れて歯を磨くことができるようにしたことを特徴とする。【０００９】  また、本考案の請求項４は、請求項１の噛む歯ブラシにおいて、前記弾性本体はオシャブリ形状を有し、このオシャブリ形状における口の中に入れる部分の外周にブラシが形成されていることを特徴とする。【００１０】  さらに、本考案の請求項５の噛む歯ブラシは、口の中に入れて噛めるようにした柄のない噛む歯ブラシであって、柔軟性を有する合成樹脂製弾性本体をマウスピース形状とし、該マウスピース形状の内側にブラシを形成したことを特徴とする。
【考案の効果】
【００１１】  本考案の噛む歯ブラシは、口の中に入れて噛めるようにした柄のない噛む歯ブラシであって、柔軟性を有する合成樹脂製弾性本体の外周にブラシを形成したものであり、楕円形状、ボール形状、棒形状、さらにはドーナツ形状等の立方体形状に適用可能であるほか、指サック形状、オシャブリ形状、さらにはマウスピース形状にも適用可能である。【００１２】  このような本考案による噛む歯ブラシによれば、口の中に入れて噛むだけで、歯磨きの効果を発揮することができるため、手を使わないで歯を磨くことができる。また、歯磨き粉等を使う必要がないため、使用する場所に限定されることがなく、他のことをしながらでも、いつでも手軽に使用することが可能となる。また、長時間の使用も可能であり、歯磨きの効果をより高めることが可能となる。【００１３】  また、そのような歯ブラシとしての効果のほかに、噛む歯ブラシの使用によって舌や口内を清潔にすることができる。さらには、口の中に入れて噛むことによって唾液の分泌を促し、細菌の減少や健康維持にも有益となる。また、顎を使って長時間噛むことによって顎の筋肉を強くするという効果を有し、眠気防止用等にも有効である。【００１４】  なお、本考案の噛む歯ブラシは、上記のように単に口の中に入れて噛むだけではなく、口臭を消す効果を有する液の入ったカプセルに入れておき、そのような液の付着した本考案の噛む歯ブラシを口内に入れて噛むことにより、口臭防止にも有益となる。また、本考案の噛む歯ブラシを口内に入れて噛むことにより、ブラシが歯茎を刺激して歯茎の血行を良くし、健康促進にも有益となるものである。
【考案を実施するための最良の形態】
【００１５】  以下、本考案の実施例について図面を参照しながら説明する。【００１６】  本考案による噛む歯ブラシ１Ａ〜１Ｇは、図１〜図８に示すように、口の中に入れて噛めるようにした柄のない噛む歯ブラシであって、柔軟性を有する合成樹脂製弾性本体２の外周にブラシ３を形成してなるものである。ただし、歯ブラシ１Ｇはマウスピース形状の噛む歯ブラシであって、マウスピース形状の内側にブラシ３を形成するようにしている。以下、このような噛む歯ブラシについて詳細に述べる。
【実施例１】
【００１７】  図１（ａ）〜（ｃ）に示す噛む歯ブラシ１Ａは、本考案による噛む歯ブラシの基本形状をなすものであり、楕円形状の本体２の外周に略同様の長さの多数のブラシ３が形成されているものである。これらの本体２及びブラシ（毛部）３は、柔軟性を有する弾性質の合成樹脂材料としてポリプロピレン等を用いて成形加工することにより低コストで大量に製造するようにしている。ただし、本考案は、口の中に入れて噛むものであるから、毒性のない衛生的な材料を選定し、口の中や舌等を傷つけない程度に柔軟であって、歯の汚れを取ることができるように弾性を有する材料にする必要がある。【００１８】  図１（ａ）に示すものは上記の楕円形状の噛む歯ブラシ１Ａの外観を示すものであり、図示のように立体をなす本体２の外周全体に均一にブラシ３を形成してなる。また、図１（ｂ）に示すように、その内部は空洞２ａにして外皮（本体２）を薄く形成し、その外周にブラシ３を形成することによって、口の中で柔らかい噛みごたえとなるようにしてもよい。さらに、図１（ｃ）に示すように、内部に空洞を作らずに柔軟な合成樹脂材料で満たされた状態とすることによって、口の中で弾力性のある噛みごたえにしてもよい。【００１９】  なお、本考案の噛む歯ブラシのブラシ（毛部）３としては、図２に示すように、毛先４が単純に先細りになっているブラシ３ａや、途中にボール形状５を有するブラシ３ｂや、先端にボール形状５を有するブラシ３ｃとしてもよいし、不図示ではあるが、毛先が先細りにならずに丸みを帯びた形状の毛先とすることにより、歯茎等により優しいブラシとしてもよい。さらに、これらの毛先の組み合わせにするか、他の毛先にしてもよい。【００２０】  このような本考案の噛む歯ブラシ１によれば、口の中に入れて噛むだけで、歯磨きの効果を得るため、他のことをしながら歯磨きを行うことが可能であり、長時間の使用によって歯磨きの効果をより高めることが可能となる。また、そのように歯ブラシとしての効果のほかに、本考案の噛む歯ブラシの使用によって舌や口内を清潔にすることができ、顎を使って噛むことによって顎の筋肉を強くするという効果を有する。さらに、眠気防止用等にも有効である。これらの効果は、以下に示す本考案の応用形態においても同様に発揮することが可能である。
【実施例２】
【００２１】  図３に示す本考案の噛む歯ブラシ１Ｂは、本体２をボール形状にしてその外周にブラシ３を均一に形成したものであり、内部は図示のように柔軟な合成樹脂材料で満たされたもののほかに、不図示であるが内部に空洞を有するものとしてもよい。
【実施例３】
【００２２】  図４に示す本考案の噛む歯ブラシ１Ｃは、本体２を棒形状にしてその外周にブラシ３を均一に形成したものであり、上記同様、内部は図示のように柔軟な合成樹脂材料で満たされたもののほかに、不図示であるが内部に空洞を有するものとしてもよい。
【実施例４】
【００２３】  図５に示す本考案の噛む歯ブラシ１Ｄは、本体２をドーナツ形状にしてその外周にブラシ３を均一に形成したものであり、この場合、ドーナツ形状の内部の空所６にもブラシ３を形成してある。このような噛む歯ブラシ１Ｄは、上記の楕円形の噛む歯ブラシ１Ａやボール形状の噛む歯ブラシ１Ｂや棒形状１Ｃの噛む歯ブラシの外周にブラシ３を形成したものとは異なる噛みごたえとなる。
【実施例５】
【００２４】  図６に示す本考案の噛む歯ブラシ１Ｅは、本体２を棒状にして内部を空洞８とし、その空洞内部の一端を開口（開口部９）することによって、指サックのような形状を有する本体２の外周にブラシ３を形成したものであり、単に口の中に入れて噛むだけという使用形態のほかに、開口部９から内部の空洞８内に不図示の指先を入れ、指で歯をブラッシングすることによって、従来の柄付の歯ブラシで歯を磨くような使用方法も可能となるものである。
【実施例６】
【００２５】  図７に示す本考案の噛む歯ブラシ１Ｆは、幼児用に作製したものであり、幼児が口の中に入れたとき飲み込まないように本体２をオシャブリ形状に形成して、口の中に入れる部分の外周にブラシ３を設けたものであり、本体２の端部に大径の鍔１０を有し、その中央端部に把持部１１を形成した形状を有する。
【実施例７】
【００２６】  本考案は、上記のように、種々の形態の噛む歯ブラシとして応用可能であるが、本体２の外周にブラシ３を設けるのではなく、本実施例のように、ブラシ３を本体２の内部に設けるようにした噛む歯ブラシ１Ｇにも応用可能である。即ち、図８に示すように、柔軟性を有する合成樹脂製弾性本体２をマウスピース形状とし、該マウスピース形状の内側１２において両側のブラシ３が対向するように形成したものである。なお、本体２やブラシ３の材料等は上記の実施例と同様である。このようなマウスピース形状の噛む歯ブラシ１Ｇによれば、内側１２の両側に形成されたブラシ３の間に歯を挟んだ状態にして、歯の裏表を同時に磨くことが可能となる。
【産業上の利用可能性】
【００２７】  本考案の噛む歯ブラシは、柄のない歯ブラシとして口の中に入れて噛むことにより、歯を磨き、口内を清潔にすることができ、使用する場所に限定されることがなく、いつでも手軽に長時間使用することが可能である噛む歯ブラシとして利用可能である。
【図面の簡単な説明】
【００２８】
【図１】（ａ）は本考案による実施例１の楕円形状の噛む歯ブラシの外観図であり、（ｂ）又は（ｃ）はその内部の２形態の断面図である。
【図２】本考案による噛む歯ブラシのブラシの構成を示す部分拡大図である。
【図３】本考案による実施例２のボール形状の噛む歯ブラシの外観図である。
【図４】本考案による実施例３の棒形状の噛む歯ブラシの外観図である。
【図５】本考案による実施例４のドーナツ形状の噛む歯ブラシの外観図である。
【図６】本考案による実施例５の指サック形状の噛む歯ブラシの外観図である。
【図７】本考案による実施例６のおしゃぶり形状の噛む歯ブラシの外観図である。
【図８】本考案による実施例７のマウスピース形状の噛む歯ブラシの外観図である。
【図９】特許文献１の歯ブラシに関する斜視図である。
【符号の説明】
【００２９】１Ａ  楕円形状の噛む歯ブラシ
１Ｂ  ボール形状の噛む歯ブラシ
１Ｃ  棒形状の噛む歯ブラシ
１Ｄ  ドーナツ形状の噛む歯ブラシ
１Ｅ  指サック形状の噛む歯ブラシ
１Ｆ  おしゃぶり形状の噛む歯ブラシ
１Ｇ  マウスピース形状の噛む歯ブラシ
２  本体
２ａ  空洞
３ａ  毛先が先細りのブラシ
３ｂ  途中にボール形状有するブラシ
３ｃ  先端にボール形状を有するブラシ
４  毛先
５  ボール形状
６  空所
７  内部の空所
８  空洞
９  開口部
１０  鍔
１１  把持部
１２  内側
【図１】
0003149503.tif 000003
【図２】
0003149503.tif 000004
【図３】
0003149503.tif 000005
【図４】
0003149503.tif 000006
【図５】
0003149503.tif 000007
【図６】
0003149503.tif 000008
【図７】
0003149503.tif 000009
【図８】
0003149503.tif 000010
【図９】
0003149503.tif 000011
【手続補正書】
【提出日】平成21年1月27日(2009.1.27)
【手続補正１】
【補正対象書類名】実用新案登録請求の範囲
【補正対象項目名】請求項２
【補正方法】変更
【補正の内容】
【請求項２】
前記弾性本体は、楕円形状、ボール形状、棒形状、又はドーナツ形状等の立体形状であることを特徴とする請求項１記載の噛む歯ブラシ。
【手続補正２】
【補正対象書類名】明細書
【補正対象項目名】０００７
【補正方法】変更
【補正の内容】
【０００７】
また、本考案の請求項２は、請求項１の噛む歯ブラシにおいて、前記弾性本体は、楕円形状、ボール形状、棒形状、又はドーナツ形状等の立体形状であることを特徴とする。
【手続補正３】
【補正対象書類名】明細書
【補正対象項目名】００１１
【補正方法】変更
【補正の内容】
【００１１】
本考案の噛む歯ブラシは、口の中に入れて噛めるようにした柄のない噛む歯ブラシであって、柔軟性を有する合成樹脂製弾性本体の外周にブラシを形成したものであり、楕円形状、ボール形状、棒形状、さらにはドーナツ形状等の立体形状に適用可能であるほか、指サック形状、オシャブリ形状、さらにはマウスピース形状にも適用可能である。